(57)【特許請求の範囲】
【請求項１】
底板の前後に前面板および後面板とを連設してなる雨どい本体の前面板を、前面板下部と、下方から後ろ上方に傾斜した前面板上部とに分け、前面板下部の上端と前面板上部の下端の境界にとい内側下方に凹む排水凹溝を形成した雨どい端部同志を、雨どい継ぎ手により接続した雨どいの接続構造において、前記雨どい継ぎ手が、雨どい端部の排水凹溝の開口部下縁から前面板下部および底板を経て後面板までの部分を覆う下部外面板と、前面板上部を覆う上部外面板と、それらの内方に、中央隔壁を介して設けた内面板とからなり、外面板と内面板との間に嵌合溝を形成するとともに、前記内面板を、排水凹溝のとい内側をゆとりをもって取り巻くように屈曲し、前記下部外面板と、上部外面板とを連結したことを特徴とする雨どいの接続構造。
【発明の詳細な説明】
【０００１】
【発明の属する技術分野】
本発明は雨どいの接続構造に関するものである。
【０００２】
【従来の技術】
近年、雨どいと軒先との一体感をもたせるために、雨どい本体の前面板上部を、下方から後ろ上方に傾斜させて、屋根の傾斜と連続感を持たせることにより、違和感を減少させた外観の雨どいが多く商品化されている。
【０００３】
ところが、これらの雨どいは、下方から後ろ上方に傾斜させた部分が、上方からの雨滴が降りかかる面積が大きいため、多くの雨水がたまり、これが雨どいの下方に雨垂れとなって落ち、長い間に軒下の地面に溝を形成するなどの問題があった。
【０００４】
従来、この雨垂れを防止するため、図１に示すように底板１の前後に前面板２および後面板３とを連設してなる雨どい１０本体の前面板２を、前面板下部２１と、下方から後ろ上方に傾斜した前面板上部２２とに分け、前面板下部の上端と前面板上部の下端の境界にとい内側下方に凹む排水凹溝４を形成した雨どいが提案されている。
【０００５】
そして、従来、この様な排水凹溝を有する雨どい同志を接続するためには、図５に示すように、雨どい１０端部において、排水凹溝４を第１係止部として利用し、後面板に第２係止部を係止し、雨どい本体のこれらに係止するように継ぎ手を上側部材５０１と下側部材５０２とに分割し、それぞれ継ぎ手の弾性を利用して外面から被せて装着するものが提案されている。（たとえば特開平５−２８７８６２号参照）
【０００６】
【発明が解決しようとする課題】
しかしながら、上記従来の雨どいの接続構造では前面板上部と前面板下部とに、継ぎ手の上側部材と下側部材とを、それぞれ外面から被せて装着するものであるので、接続すべき両側の雨どい端部の位置決めを正確に行うのが極めて困難であり、雨どい端部同志が離れ過ぎて、接続が不確実になったり、あるいは雨どい端部同志が突き当たったり重なり合ったりして、隙間がなくなるため、排水凹溝に溜まった雨水を、両側の雨どいの隙間から雨どい内に導入することができなくなってしまい、また分離した上側部材が紛失しやすいうという問題があった。
【０００７】
【課題を解決するための手段】
本発明は、上記問題を解決した雨どいの接続構造を提供しようというものであり、その要旨は、底板の前後に前面板および後面板とを連設してなる雨どい本体の前面板を、前面板下部と、下方から後ろ上方に傾斜した前面板上部とに分け、前面板下部の上端と前面板上部の下端の境界にとい内側下方に凹む排水凹溝を形成した雨どい端部同志を、雨どい継ぎ手により接続した雨どいの接続構造において、前記雨どい継ぎ手が、雨どい端部の排水凹溝の開口部下縁から前面板下部および底板を経て後面板までの部分を覆う下部外面板と、前面板上部を覆う上部外面板と、それらの内方に、中央隔壁を介して設けた内面板とからなり、外面板と内面板との間に嵌合溝を形成するとともに、前記内面板を、排水凹溝のとい内側をゆとりをもって取り巻くように屈曲し、前記下部外面板と、上部外面板とを連結したことを特徴とする雨どいの接続構造にある。
【０００８】
【発明の実施の形態】
以下、本発明を図面に基づき説明する。
【０００９】
図１は本発明の雨どいの接続構造の一例を示す斜視図、図２は図１のII−II断面図、図３は図１の雨どいの接続構造に使用する雨どい継ぎ手を斜め後方からみた斜視図、図４は本発明の雨どいの接続構造の他の例を示す断面図、図５は従来の雨どいの接続構造の一例を示す断面図である。
【００１０】
本発明は図１〜４に示すように、底板１の前後に前面板２および後面板３とを連設してなる雨どい１０本体の前面板２を、下方から後ろ上方に傾斜した前面板上部２２と、前面板下部２１とに分け、前面板上部２２の下端にとい内側下方に凹む排水凹溝４を形成した雨どい端部同志を、雨どい継ぎ手５により接続した雨どい１０の接続構造において、前記雨どい継ぎ手５が、雨どい端部の排水凹溝４の開口部下縁から前面板下部２１および底板１を経て後面板３までの部分を覆う下部外面板５１と、前面板上部を覆う上部外面板５２と、それらの内方に、中央隔壁５３を介して設けた内面板５４とからなり、外面板５２と内面板５４との間に嵌合溝５５を形成するとともに、前記内面板５４を、排水凹溝４のとい内側をゆとり６をもって取り巻くように屈曲し、前記下部外面板５１と、上部外面板５２とを連結したことを特徴とする雨どいの接続構造である。
【００１１】
雨どい１０は、底板１の前後に前面板２および後面板３とを連設してなる基本形状を有し、前面板２を、下方から後ろ上方に傾斜した前面板上部２２と、前面板下部２１とに分け、前面板上部２２の下端、すなわち前面板下部２１の上端との境界に、とい内側下方に凹む排水凹溝４を形成したものが採用でき、プラスチックフイルム被覆鋼板を折り曲げ加工してなるもの、プラスチックの溶融押出し加工によるものなど適宜のものが使用できる。
【００１２】
そして本発明の最大の特徴は、前記雨どい継ぎ手５が、雨どい端部の排水凹溝４の開口部下縁から前面板下部２１および底板１を経て後面板３までの部分を覆う下部外面板５１と、前面板上部を覆う上部外面板５２と、それらの内方に、中央隔壁５３を介して設けた内面板５４とからなり、外面板５２と内面板５４との間に嵌合溝５５を形成するとともに、前記内面板５４を、排水凹溝４のとい内側をゆとり６をもって取り巻くように屈曲し、前記下部外面板５１と、上部外面板５２とを連結したことにある。
【００１３】
本発明の雨どいの接続構造を構成するには、図１に示すように、雨どい継ぎ手５の両側の嵌合溝５５にそれぞれ雨どい１０端部を嵌合すると、両雨どい端部はいずれも中央隔壁５３に両側から突き当たり、中央隔壁５２の幅の分だけ間隔をおいて確実に位置決めされるとともに、排水凹溝４においては中央隔壁５３は存在しないので、中央隔壁５３により位置決めされた間隔のぶんだけ隙間を露出することとなる。
【００１４】
このとき、嵌合溝５４に雨どい端部を嵌合する際に接着剤を併用することにより、水密性がさらに確実になる。
【００１５】
さらに、内面板５４によってといの内側から前記下部外面板５１と、上部外面板５２とを連結したので、継ぎ手を一体ものとして扱うことができ、上部外面板５２を紛失する恐れがないだけではなく、内面板５４を、排水凹溝４のとい内側をゆとり６をもって取り巻くように屈曲してあるので、両排水凹溝４端部の間に生ずる隙間を塞いでしまうことがない。
【００１６】
ここで、下部外面板５１および上部外面板５２は図１〜３の例では排水凹溝４の開口縁でとぎれているが、図４の例のように、排水凹溝４の開口縁から凹溝内に食い込んでいてもよい。
【００１７】
また、いずれの例においても排水凹溝４の開口部は閉じていないので、上部外面板５２に溜まった雨水はスムーズに排水凹溝４に流れ込む。
【００１８】
さらに本発明において、ゆとり６は図１〜３の例においては、排水凹溝４の奥端後方に形成してあるが、図４のように、排水凹溝４の下方に形成してもよく、要するに、排水凹溝４端部の間に生ずる隙間を完全にふさがないようにして、雨水が通過できるようなゆとり６を形成すればよい。
【００１９】
次ぎに作用を説明するに、雨天になると、前面板２のうち、下方から後ろ上方に傾斜した前面板上部２２には、傾斜しているため上方から多くの雨滴が降りかかり、溜まった雨水は下方に流れるが、前面板上部２２の下端に形成したとい内側下方に凹む排水凹溝４に受け止められ、その分、雨垂れが少なくなる。
【００２０】
次いで、排水凹溝４に受け止められた雨水は、排水凹溝４を伝わって雨どい継ぎ手５まで流れる。
【００２１】
そして、本発明においては、雨どい継ぎ手５は排水凹溝４の奥側４２において中央隔壁５２は存在せず、中央隔壁５２により位置決めされた間隔のぶんだけ隙間を露出させてあるので、この露出した隙間を通過することができ、しかも、内面板５４を、排水凹溝４のとい内側をゆとり６をもって取り巻くように屈曲してあるので、雨水は最終的にゆとり６を通って雨どい１０の内部に導入される。
【００２２】
【発明の効果】
本発明は雨どいの接続構造に関し、雨どい継ぎ手が、雨どい端部の排水凹溝の開口部下縁から前面板下部、底板を経て後面板までの部分を覆う下部外面板と、前面板上部を覆う上部外面板と、それらの内方に、中央隔壁を介して設けた内面板とからなり、外面板と内面板との間に嵌合溝を形成するとともに、前記内面板を、排水凹溝のとい内側をゆとりをもって取り巻くように屈曲し、前記下部外面板と、上部外面板とを連結したことを特徴とするので、雨どいの端部同志を一定の位置関係で接続できるとともに、中央隔壁によって安定したはばの隙間を確保して、前面板上部に多くの雨滴が降りかかっても排水凹溝で受け止めスムーズに雨どい内に導入することができ、継ぎ手を一体ものとして扱うことができ、また、上部外面板を紛失する恐れがないという効果がある。
【図面の簡単な説明】
【図１】本発明の雨どいの接続構造の一例を示す斜視図
【図２】図１のII−II断面図
【図３】図１の雨どいの接続構造に使用する雨どい継ぎ手を斜め後方からみた斜視図
【図４】本発明の雨どいの接続構造の他の例を示す断面図
【図５】従来の雨どいの接続構造の一例を示す断面図
【符号の説明】
１    底板
１０  雨どい
２    前面板
２１  前面板下部
２２  前面板上部
３    後面板
４    排水凹溝
４１  開口部下縁
４２  排水凹溝４の奥側
５    雨どい継ぎ手
５１  外面板
５２  中央隔壁
５３  内面板
５４  嵌合溝
【図１】
0003660786.tif 000002
【図２】
0003660786.tif 000003
【図３】
0003660786.tif 000004
【図４】
0003660786.tif 000005
【図５】
0003660786.tif 000006